(57)【特許請求の範囲】
【請求項１】
鍵と当該鍵の押鍵に伴って回動するハンマーとの一方である回動体の動きを、押鍵情報として検出する電子ピアノの鍵スイッチであって、
前記回動体の長さ方向に沿って第１、第２および第３の固定接点が並設された基板を備え、
前記第１〜第３の固定接点の各々は、前記回動体の長さ方向と直交する直交方向に互いに所定の間隔を隔てて対向するように配置された、所定の基準電位を有するコモン接点および当該基準電位と異なる電位を有する非コモン接点によって構成され、
隣り合う各２つの前記固定接点において、少なくとも１つの前記コモン接点は、２つの前記非コモン接点の間に入り込むように前記直交方向に延びる延出部を有し、
当該基板に取り付けられ、前記鍵の離鍵状態において、前記回動体に対向する弾性のスイッチ本体と、
当該スイッチ本体に、前記第１〜第３の固定接点にそれぞれ対向するように並設され、押鍵時に回動する前記回動体で前記スイッチ本体が押圧されるのに伴い、前記第１〜第３の固定接点の前記コモン接点および前記非コモン接点に順次、接触することによって、前記押鍵情報を表す信号を出力するための第１、第２および第３の可動接点と、
をさらに備えることを特徴とする電子ピアノの鍵スイッチ。
【発明の詳細な説明】
【技術分野】
【０００１】
本発明は、鍵または鍵の押鍵に伴って回動するハンマーの動きを、押鍵情報として検出する電子ピアノの鍵スイッチに関する。
【背景技術】
【０００２】
従来のこの種の電子ピアノの鍵スイッチとして、例えば特許文献１に開示されたものが知られている。この鍵スイッチは、鍵の動きを３段階で検出する３接点タイプのものであり、鍵の下面に固定されたドーム状のゴムスイッチと、その下側に配置されたスイッチ基板を備えている。ゴムスイッチには、その天壁から垂下する円柱状の第１〜第３スイッチ素子が、前後方向（鍵の長さ方向）に並んだ状態で設けられている。これらの第１〜第３スイッチ素子のうち、第１スイッチ素子が最も長く、第３スイッチ素子が最も短くなっており、それらの下端部には第１〜第３可動接点が形成されている。一方、スイッチ基板には、第１〜第３可動接点にそれぞれ対向するように、第１〜第３固定接点が並設されている。
【０００３】
この鍵スイッチでは、押鍵時に鍵が回動すると、ゴムスイッチが、鍵で押圧され、圧縮変形するのに伴い、第１〜第３可動接点が第１〜第３固定接点に順次、接触することで、ＯＮ信号がそれぞれ出力される。
【０００４】
図１０は、従来における一般的な３接点タイプの固定接点の配置を示している。同図に示すように、第１〜第３固定接点ｃｓ１〜ｃｓ３はそれぞれ、グラウンドへの接地などにより、互いに同一の基準電位を有するコモン接点（ハッチングを付した接点）と、基準電位と異なる電位を有する非コモン接点（白抜きの接点）によって構成されている。これらのコモン接点および非コモン接点は、スイッチ基板にプリントされたカーボンなどから成り、前後方向（同図の左右方向）に直線的に延びる矩形状に形成されるとともに、左右方向（同図の上下方向）に互いに近接した状態で対向している。また、３つのコモン接点および３つの非コモン接点はそれぞれ、前後方向に互いに近接した状態で並設されている。
【０００５】
そして、押鍵時に、カーボンなどから成る第１〜第３可動接点ｃｍ１〜ｃｍ３が、第１〜第３固定接点ｃｓ１〜ｃｓ３のコモン接点および非コモン接点にまたがるように接触し、コモン／非コモン接点が導通することによって、ＯＮ信号が出力される。
【先行技術文献】
【特許文献】
【０００６】
【特許文献１】特開２００７−５２３５７号公報
【発明の概要】
【発明が解決しようとする課題】
【０００７】
上述した構成の従来の鍵スイッチでは、押圧されたゴムスイッチの動作（変形）のばらつきや、スイッチ基板に固定接点をプリントする際の位置ずれなどによって、固定接点に接触する際の、固定接点に対する可動接点の相対的な位置（以下「可動接点の接触位置」という）が、前後方向（鍵の長さ方向）にずれやすい。これに対し、従来の鍵スイッチでは、第１〜第３固定接点ｃｓ１〜ｃｓ３の矩形状の３つのコモン接点および非コモン接点が、前後方向に互いに近接した状態で配置されている。
【０００８】
このため、可動接点の接触位置が前後方向にずれ、可動接点が本来の固定接点から少しでもはみ出ると、可動接点が隣の固定接点に誤って接触しやすく、誤検出を招くおそれがある。例えば、図１０に示すように、第１可動接点ｃｍ１が、本来の第１固定接点ｃｓ１に対応する位置（実線位置）から第２固定接点ｃｓ２側にはみ出た場合（破線位置）には、第２固定接点ｃｓ２の非コモン接点に接触することで、第２固定接点ｃｓ２がＯＮ状態であることを表すＯＮ信号が誤って出力されてしまう。
【０００９】
また、鍵スイッチのＯＮ信号の安定化を図るとともに発熱量を抑制するためには、カーボンなどから成る可動接点の電気的抵抗がより低いことが好ましく、そのためには、例えば可動接点の径を大きくすることが有効である。しかし、従来の鍵スイッチでは、可動接点の径が大きくなると、その接触位置のずれに伴って隣の固定接点に接触する可能性が高くなるため、可動接点の径を制限せざるを得ない。
【００１０】
さらに、上述した不具合を解消するために、例えば、各固定接点のコモン接点および非コモン接点の長さを大きくすることや、固定接点間の間隔を大きくすることが考えられる。しかし、３接点タイプの鍵スイッチは、２接点タイプのものと比較し、全体長さがもともと大きいので、上記のようにすると、鍵スイッチの全体長さがさらに増大し、大型化してしまう。
【００１１】
本発明は、このような課題を解決するためになされたものであり、鍵スイッチが３接点タイプの場合において、鍵スイッチを大型化することなく、可動接点のずれの許容範囲を拡大でき、それにより、誤動作を抑制し、押鍵情報をより精度良く検出することができる電子ピアノの鍵スイッチを提供することを目的とする。
【課題を解決するための手段】
【００１２】
この目的を達成するために、本願の請求項１に係る発明は、鍵と鍵の押鍵に伴って回動するハンマーとの一方である回動体の動きを、押鍵情報として検出する電子ピアノの鍵スイッチであって、回動体の長さ方向に沿って第１、第２および第３の固定接点が並設された基板を備え、第１〜第３の固定接点の各々は、回動体の長さ方向と直交する直交方向に互いに所定の間隔を隔てて対向するように配置された、所定の基準電位を有するコモン接点および基準電位と異なる電位を有する非コモン接点によって構成され、隣り合う各２つの固定接点において、少なくとも１つのコモン接点は、２つの非コモン接点の間に入り込むように直交方向に延びる延出部を有し、基板に取り付けられ、鍵の離鍵状態において、回動体に対向する弾性のスイッチ本体と、スイッチ本体に、第１〜第３の固定接点にそれぞれ対向するように並設され、押鍵時に回動する回動体でスイッチ本体が押圧されるのに伴い、第１〜第３の固定接点のコモン接点および非コモン接点に順次、接触することによって、押鍵情報を表す信号を出力するための第１、第２および第３の可動接点と、をさらに備えることを特徴とする。
【００１３】
この電子ピアノの鍵スイッチによれば、基板に、鍵およびハンマーの一方である回動体の長さ方向に沿って、第１〜第３固定接点が並設されている。第１〜第３固定接点の各々は、所定の基準電位を有するコモン接点と、この基準電位と異なる電位を有する非コモン接点によって構成され、各コモン接点および非コモン接点は、回動体の長さ方向と直交する直交方向に互いに所定の間隔を隔てて対向している。
【００１４】
鍵が押鍵されるのに伴い、回動体が回動すると、弾性のスイッチ本体が回動体によって押圧され、圧縮変形する。このスイッチ本体の圧縮変形により、スイッチ本体に並設された第１〜第３可動接点が、第１〜第３固定接点のコモン接点および非コモン接点に、両者をまたぐように順次、接触することによって、押鍵情報を表す信号がそれぞれ出力される。
【００１５】
また、本発明によれば、隣り合う各２つの固定接点において、少なくとも１つのコモン接点は、２つの非コモン接点の間に入り込むように直交方向に延びる延出部を有している。したがって、これらの２つの固定接点に対応する可動接点の接触位置が回動体の長さ方向にずれ、可動接点が本来の固定接点から他の固定接点側に若干はみ出た場合でも、その位置にコモン接点の延出部が存在することで、コモン接点との接触状態が保たれるとともに、他の固定接点の非コモン接点との接触が阻止され、その分、可動接点のずれの許容範囲が拡大する。このように、鍵スイッチを大型化することなく、可動接点のずれの許容範囲を拡大でき、したがって、誤動作を抑制し、押鍵情報をより精度良く検出することができる。
【図面の簡単な説明】
【００１６】
【図１】本発明を適用した電子ピアノの鍵盤装置を、一部を切り欠いた状態で示す側面図である。
【図２】鍵スイッチのスイッチ本体を示す側面図である。
【図３】複数のスイッチ本体を一体成形したスイッチ本体ユニットを斜め上方から示す斜視図である。
【図４】図３のスイッチ本体ユニットを斜め下方から示す斜視図である。
【図５】スイッチ本体をスイッチ基板に取り付けた状態を示す側面図である。
【図６】スイッチ基板における固定接点の配置を示す平面図である。
【図７】鍵スイッチの作動時における可動接点と固定接点との位置関係を説明するための平面図である。
【図８】従来の鍵スイッチの作動時における可動接点と固定接点との位置関係を説明するための平面図である。
【図９】変形例による固定接点の配置を示す平面図である。
【図１０】従来の鍵スイッチのスイッチ基板における固定接点の配置を示す平面図である。
【発明を実施するための形態】
【００１７】
以下、図面を参照しながら、本発明の好ましい実施形態を詳細に説明する。図１は、本発明の一実施形態による電子ピアノの鍵盤装置を、離鍵状態において示している。
【００１８】
同図に示すように、鍵盤装置１は、電子ピアノの左右方向（図１の表裏方向）に並んだ多数の鍵２（白鍵２ａおよび黒鍵２ｂを各１つのみ図示）と、これらの鍵２を支持する鍵盤シャーシ３と、この鍵盤シャーシ３の後端部（図１の右端部）に連結されたハンマーサポート４と、鍵２ごとに設けられ、押鍵された鍵２に連動して回動する多数のハンマー５（１つのみ図示）と、ハンマー５ごとに設けられ、鍵２の押鍵時にレットオフ感を付与するための多数のレットオフ部品６（１つのみ図示）と、鍵２の押鍵情報を検出するための鍵スイッチ７などで構成されている。
【００１９】
鍵盤シャーシ３は、左右方向に延びる前レール９ａ、中レール９ｂおよび後レール９ｃから成る３本の支持レール９と、前後方向に延びる５本の補強用のリブ１０とを、井桁状に組み立てたものであり、棚板（図示せず）上に固定されている。これらの支持レール９およびリブ１０はいずれも、プレスによる打抜きおよび折曲げ加工によって所定の形状に形成された鉄板で構成されている。支持レール９の板厚は、その軽量化のためにより薄く（例えば１．０ｍｍ）、リブ１０の板厚は、補強のためにより厚く（例えば１．６ｍｍ）設定されている。
【００２０】
前レール９ａの下面および中レール９ｂの上面にはそれぞれ、筬前１１および筬中１２が固定されている。筬前１１および筬中１２は、合成樹脂から成る肉厚の板状のものであり、前レール９ａおよび中レール９ｂの全体にわたって左右方向に延びている。筬中１２には、白鍵２ａおよび黒鍵２ｂに対応する前後の位置に、多数のバランスピン１３が、左右方向に並んだ状態で立設されている。また、筬前１１には、白鍵２ａおよび黒鍵２ｂに対応する前後の位置に、多数のフロントピン１４が、左右方向に並んだ状態で立設されている。
【００２１】
鍵２は、前後方向に延びるとともに矩形状の横断面を有する木製の鍵本体１５と、その前部の上面および前面に接着された合成樹脂製の鍵カバー１６で構成されている。鍵本体１５の中心よりも後ろ側には、バランスピン孔１７が形成されており、鍵２は、このバランスピン孔１７を介して、バランスピン１３に揺動自在に支持されている。また、鍵本体１５の前端部には、フロントピン孔１８が形成されており、このフロントピン孔１８がフロントピン１４に係合することによって、鍵２が回動する際の左右方向のぶれが防止される。
【００２２】
ハンマーサポート４は、合成樹脂で構成され、例えば１オクターブ分の複数の成形品を互いに連結したものであり、すべてのハンマー５にわたるように左右方向に延びており、鍵盤シャーシ３の後レール９ｃにねじ止めされている。ハンマーサポート４は、この後レール９ｃ付近から直立するハンマー支持部１９と、その上端部から前方に斜め上がりに延びるスイッチ取付部２０などで構成されている。ハンマー支持部１９の上端部には、各ハンマー５を支持するための水平なピン状の支点軸部２１が形成されている。
【００２３】
ハンマー５は、前後方向に延びるアーム状のハンマー本体２２と、その左右の側面の前端部に取り付けられた錘板２３（１つのみ図示）を有する。ハンマー本体２２は合成樹脂で構成され、錘板２３は、比重が比較的大きな鉄などの金属材料で構成されている。ハンマー本体２２の後端部には、円弧状の軸穴２４が形成されており、ハンマー５は、この軸穴２４が支点軸部２１に係合することによって、ハンマーサポート４に回動自在に支持されている。
【００２４】
また、ハンマー本体２２の下面には、軸穴２４のすぐ前側の位置に、キャプスタンスクリュー２５が進退自在にねじ込まれている。ハンマー５は、このキャプスタンスクリュー２５を介して、鍵２の後端部に載置されている。また、ハンマー本体２２の上面の軸穴２４とキャプスタンスクリュー２５との間の部分は、押鍵時に鍵スイッチ７を作動させるためのアクチュエータ部２６になっている。さらに、ハンマー本体２２の上面の前後方向の中央には、押鍵時にレットオフ部品６に係合する板状の係合突起２７が設けられている。
【００２５】
レットオフ部品６は、所定の弾性材料（例えば、スチレン系の熱可塑性エラストマーなど）の成形品で構成されており、ハンマーサポート４のスイッチ取付部２０に取り付けられている。レットオフ部品６は、スイッチ取付部２０から後ろ下がりに斜めに延びており、その先端部には、くびれ部を介して頭部２８が形成されている。この頭部２８は、離鍵状態において、ハンマー５の係合突起２７に対向している。
【００２６】
また、鍵スイッチ７は、プリント基板から成るスイッチ基板２９と、このスイッチ基板２９の下面に、鍵２ごとに設けられたゴムスイッチから成るスイッチ本体３０で構成されている。スイッチ基板２９は、その後端部がスイッチ取付部２０に差し込まれるとともに、中央の部分で、スイッチ取付部２０にねじ止めされている。また、スイッチ本体３０は、離鍵状態において、ハンマー５のアクチュエータ部２６に若干の間隔をもって対向している。さらに、スイッチ取付部２０の下面の前端部には、ハンマー５の上方への回動を規制する、発泡ウレタンなどで構成されたハンマーストッパ３１が設けられている。
【００２７】
次に、上記構成の鍵盤装置１の動作について説明する。図１に示す離鍵状態から鍵２が押鍵されると、鍵２は、バランスピン１３を中心として、同図の反時計方向に回動し、それに伴い、ハンマー５は、キャプスタンスクリュー２５を介して押し上げられ、支点軸部２１を中心として、上方（同図の時計方向）に回動する。
【００２８】
このハンマー５の回動の途中で、その係合突起２７が、レットオフ部品６の頭部２８に係合し、頭部２８を介してレットオフ部品６を圧縮させながら押圧することにより、レットオフ部品６からハンマー５に作用する反力が増大する。ハンマー５の回動が進むと、係合突起２７が頭部２８から外れることで、レットオフ部品６からの反力が急激に消失する。このようなレットオフ部品６の反力の増大と消失によって、アコースティックピアノに近似したレットオフ感が得られる。
【００２９】
その後、ハンマー５がハンマーストッパ３１に当接することによって、ハンマー５の上方への回動が終了する。また、ハンマー５の上方への回動の間、そのアクチュエータ部２６が鍵スイッチ７のスイッチ本体３０を押圧し、鍵スイッチ７をＯＮすることによって、ハンマー５の回動量に応じた鍵２の押鍵情報が検出され、発音制御装置（図示せず）に出力される。そして、この発音制御装置により、検出された押鍵情報に基づいて、電子ピアノの発音が制御される。
【００３０】
その後、鍵２が離鍵されると、鍵２は押鍵時と反対方向に回動し、図１に示す離鍵状態に復帰し、それに伴い、ハンマー５も、下方に回動し、離鍵状態に復帰する。
【００３１】
次に、図２〜図７を参照しながら、本発明に係る鍵スイッチ７について詳細に説明する。鍵スイッチ７のスイッチ本体３０は、非常に柔らかいゴム、例えばシリコンゴムで構成されている。図３および図４に示すように、スイッチ本体３０は、並設された４つのスイッチ本体３０と、これらのスイッチ本体３０をつなぐベース４１と、ベース４１から下方に突出する複数の取付用の脚部４２とを一体に成形したスイッチ本体ユニット４３として形成されている。
【００３２】
各スイッチ本体３０は、前後方向に長い小判状の平面形状を有するとともに、ベース４１から立ち上がる薄肉の周壁部４４と、それに連なる可動部４５とから、全体としてドーム状に形成されている。図２に示すように、可動部４５の表面は、前側（図２の右側）に向かってベース４１に近づくように傾斜している。
【００３３】
可動部４５の表面には、円筒状の３つの凹部４６〜４８が前後方向に並んで形成され、これらの凹部４６〜４８の下縁から、薄肉部４９を介して、第１〜第３スイッチ素子Ｓ１〜Ｓ３がそれぞれ垂下している。第１〜第３スイッチ素子Ｓ１〜Ｓ３の下端部には、カーボンから成る第１〜第３可動接点ＣＭ１〜ＣＭ３がそれぞれ設けられている。また、可動部４５には、第１スイッチ素子Ｓ１の前側に、支持突起５０が設けられている。この支持突起５０は、ブロック状のものであり、ベース４１の近くまで延びている。
【００３４】
さらに、可動部４５の表面には、中央の凹部４７の左右両側にそれぞれ、前後２つの被押圧用突起（以下、単に「突起」という）５１Ａ、５１Ｂが、互いに隣接した状態で設けられている。これらの突起５１Ａ、５１Ｂは、ほぼ半円形の側面形状を有しており、そのサイズは互いに同じである。
【００３５】
以上のように構成されたスイッチ本体３０は、図５に示すように、複数の脚部４２を、その弾性を利用して、スイッチ基板２９の対応する孔５２に差し込むことによって、スイッチ基板２９の下面に取り付けられている。鍵２の離鍵状態では、スイッチ本体３０の後ろ側の突起５１Ｂに、ハンマー５のアクチュエータ部２６が、近接した状態で対向している。なお、図５は、押鍵に伴い、アクチュエータ部２６が突起５１Ｂに当接した直後の状態を示している。
【００３６】
また、離鍵状態では、可動部４５の支持突起５０は、スイッチ基板２９に近接した状態で対向し、第１〜第３可動接点ＣＭ１〜ＣＭ３は、スイッチ基板２９に形成された第１〜第３固定接点ＣＳ１〜ＣＳ３に、それぞれ対向している。可動／固定接点間の間隔は、第１可動／固定接点ＣＭ１、ＣＳ１、第２可動／固定接点ＣＭ２、ＣＳ２および第３可動／固定接点ＣＭ３、ＣＳ３の順に短く、すなわち、前側のものほどより短くなっている。
【００３７】
図６に示すように、第１〜第３固定接点ＣＳ１〜ＣＳ３は、前後方向（同図の左右方向）に並設されており、それぞれ、第１コモン接点ＣＣ１および第１非コモン接点ＣＮ１、第２コモン接点ＣＣ２および第２非コモン接点ＣＮ２と、第３コモン接点ＣＣ３および第３非コモン接点ＣＮ３から成る接点対で構成されている。同図にハッチングを付して示す第１〜第３コモン接点ＣＣ１〜ＣＣ３は、接地されており、互いに同一の基準電位を有する。一方、第１〜第３非コモン接点ＣＮ１〜ＣＮ３は、基準電位と異なる所定の電位を有している。
【００３８】
同図に示すように、第１コモン接点ＣＣ１および第１非コモン接点ＣＮ１は、前後方向に長い矩形状に形成され、互いに同じ長さおよび幅を有し、第１可動接点ＣＭ１の径よりも小さな所定の間隔を隔てて、左右方向（同図の上下方向）に互いに対向している。
【００３９】
これに対し、第２および第３コモン接点ＣＣ２、ＣＣ３と第２および第３非コモン接点ＣＮ２、ＣＮ３はいずれも、本体部と、その一端部から延びる延出部で構成され、Ｌ字状に形成されている。第２コモン接点ＣＣ２および第２非コモン接点ＣＮ２のそれぞれの本体部ＢＣ２、ＢＮ２は、第１コモン接点ＣＣ１および第１非コモン接点ＣＮ１と同じ長さおよび幅を有する矩形状に形成され、それらの延長線上に前後方向に延びるとともに、所定の間隔を隔てて互いに対向している。一方、第２コモン接点ＣＣ２の延出部ＥＣ２は、その本体部ＢＣ２の前端部から、第１非コモン接点ＣＮ１と第２非コモン接点ＣＮ２の本体部ＢＮ２との間に入り込むように、左右方向に延びている。また、第２非コモン接点ＣＮ２の延出部ＥＮ２は、その本体部ＢＮ２の後端部から、第２コモン接点Ｃ２の本体部ＢＣ２と第３コモン接点ＣＣ３の本体部ＢＣ３との間に入り込むように、左右方向に延びている。
【００４０】
同様に、第３コモン接点ＣＣ３および第３非コモン接点ＣＮ３のそれぞれの本体部ＢＣ３、ＢＮ３は、第２コモン接点ＣＣ２および第２非コモン接点ＣＮ２の本体部ＢＣ２、ＢＮ２と同じ長さおよび幅を有する矩形状に形成され、それらの延長線上に前後方向に延びるとともに、所定の間隔を隔てて互いに対向している。一方、第３コモン接点ＣＣ３の延出部ＥＣ３は、その本体部ＢＣ３の前端部から、第２非コモン接点ＣＮ２の本体部ＢＮ２と第３非コモン接点ＣＮ３の本体部ＢＮ３との間に入り込むように、左右方向に延び、第３非コモン接点ＣＮ３の延出部ＥＮ３は、その本体部ＢＮ３の後端部から、第３コモン接点ＣＣ３の本体部ＢＣ３の後ろ側に回り込むように、左右方向に延びている。
【００４１】
次に、図５および図７を参照しながら、上記構成の鍵スイッチ７の動作を詳細に説明する。鍵２が押鍵されると、ハンマー５が図５の時計方向に回動し、そのアクチュエータ部２６がスイッチ本体３０を押圧することによって、スイッチ本体３０が圧縮変形する。この圧縮変形により、まず第１可動接点ＣＭ１が、第１固定接点ＣＳ１の第１コモン接点ＣＣ１および第１非コモン接点ＣＮ１に、両者をまたぐように同時に接触することによって、両接点ＣＣ１、ＣＮ１が導通し、第１スイッチ素子Ｓ１がＯＮされる。
【００４２】
ハンマー５の回動が進むと、第２可動接点ＣＭ２が、第２固定接点ＣＳ２の第２コモン接点ＣＣ２および第２非コモン接点ＣＮ２に、両者をまたぐように同時に接触することによって、両接点ＣＣ２、ＣＮ２が導通し、第２スイッチ素子Ｓ２がＯＮされる。ハンマー５がさらに回動すると、第３可動接点ＣＭ３が第３固定接点ＣＳ３の第３コモン接点ＣＣ３および第３非コモン接点ＣＮ３に、両者をまたぐように同時に接触することによって、両接点ＣＣ３、ＣＮ３が導通し、第３スイッチ素子Ｓ３がＯＮされる。
【００４３】
以上の第１〜第３スイッチ素子Ｓ１〜Ｓ３からのＯＮ信号は、発音制御装置に順次、入力される。例えば、発音制御装置は、鍵スイッチ７のＯＮ作動によって、鍵２が押鍵されたこととそのキーナンバーを判定するとともに、第１〜第３スイッチ素子Ｓ１〜Ｓ３のＯＮ時間差から、ハンマー５の回動速度を算出し、それらの結果に基づいて、電子ピアノの発音を制御する。
【００４４】
また、例えば、図７に破線で示すように、第１可動接点ＣＭ１の接触位置が後ろ側にずれ、第１可動接点ＣＭ１が第１固定接点ＣＳ１からはみ出た場合には、第１可動接点ＣＭ１が、第１非コモン接点ＣＮ１と、その後ろ側に存在する第２コモン接点ＣＣ２の延出部ＥＣ２とに接触することによって、コモン接点との接触状態が保たれるとともに、第２固定接点ＣＳ１の非コモン接点ＣＮ２との接触が阻止される。これにより、第１スイッチ素子Ｓ１のＯＮ状態が維持される。
【００４５】
また、図示しないが、第２可動接点ＣＭ２が、第２固定接点ＣＳ２から前側にはみ出た場合には、第２非コモン接点ＣＮ２とその前側に存在する第２コモン接点ＣＣ２の延出部ＥＣ２とに接触することによって、第２固定接点ＣＳ２から後ろ側にはみ出た場合には、第２非コモン接点ＣＮ２とその後ろ側に存在する第３コモン接点ＣＣ３の延出部ＥＣ３とに接触することによって、それぞれ第２スイッチ素子Ｓ２のＯＮ状態が維持される。同様に、第３可動接点ＣＭ３が、第３固定接点ＣＳ３から前側にはみ出た場合には、第３非コモン接点ＣＮ３とその前側に存在する第３コモン接点ＣＣ３の延出部ＥＣ３とに接触することによって、第３スイッチ素子Ｓ３のＯＮ状態が維持される
【００４６】
また、図７に示すように、第１可動接点ＣＭ１の接触位置が後ろ側にずれたときに許容される限界は、延出部ＥＣ２の後縁によって定まる。したがって、この限界位置と第１固定接点ＣＳ１の中心位置との距離を第１可動接点ＣＭ１のずれの許容範囲と定義すると、この場合の許容範囲はＬ１になる。
【００４７】
これに対し、図８に破線で示すように、従来の鍵スイッチにおいて、第１可動接点ｃｍ１の接触位置が後ろ側にずれた場合には、その限界位置が、第１固定接点ｃｓ１に近接する第２固定接点ｃｓ２の前縁によって定まるため、許容範囲は、本実施形態によるＬ１よりも小さなＬ１’になる。すなわち、本実施形態によって、第１可動接点ＣＭ１のずれの許容範囲が拡大されることが分かる。
【００４８】
以上のように、本実施形態によれば、第１〜第３可動接点ＣＭ１〜ＣＭ３の接触位置がハンマー５の長さ方向にずれ、第１〜第３可動接点ＣＭ１〜ＣＭ３が本来の固定接点からはみ出た場合でも、その位置に存在する第２および第３コモン接点ＣＣ２、ＣＣ３の延出部ＥＣ２、ＥＣ３によって、第１〜第３可動接点ＣＭ１〜ＣＭ３のコモン接点との接触状態が保たれるとともに、他の固定接点の非コモン接点との接触が阻止される。その結果、鍵スイッチ７を大型化することなく、第１〜第３可動接点ＣＭ１〜ＣＭ３のずれの許容範囲を拡大でき、したがって、誤動作を抑制し、押鍵情報をより精度良く検出することができる。
【００４９】
図９は、上述した実施形態の変形例を示す。この変形例は、上述した実施形態と比較し、第１〜第３固定接点ＣＳ１〜ＣＳ３の配置パターンのみが異なる。同図に示すように、この変形例では、第１〜第３固定接点ＣＳ１〜ＣＳ３の３つのコモン接点ＣＣ１〜ＣＣ３および非コモン接点ＣＮ１〜ＣＮ３は、それぞれ左右方向に互い違いに配置されている。
【００５０】
第１および第２コモン接点ＣＣ１、ＣＣ２には、それらの互いに近接する端部同士を結ぶように、延出部ＥＣ１２が設けられており、この延出部ＥＣ１２は、第１および第２非コモン接点ＣＮ１、ＣＮ２の間に、左右方向に延びている。同様に、第２および第３コモン接点ＣＣ２、ＣＣ３には、それらの互いに近接する端部同士を結ぶように、延出部ＥＣ２３が設けられており、この延出部ＥＣ２３は、第２および第３非コモン接点ＣＮ２、ＣＮ３の間に、左右方向に延びている。他の構成は、実施形態と同じである。
【００５１】
この構成によれば、図９に破線で示すように、第１〜第３可動接点ＣＭ１〜ＣＭ３の接触位置がハンマー５の長さ方向にずれ、第１〜第３可動接点ＣＭ１〜ＣＭ３が本来の固定接点からはみ出た場合でも、その位置に存在するコモン接点の延出部ＥＣ１２または延出部ＥＣ２３によって、第１〜第３可動接点ＣＭ１〜ＣＭ３のコモン接点との接触状態が保たれるとともに、他の固定接点の非コモン接点との接触が阻止される。したがって、実施形態による前述した効果を同様に得ることができる。
【００５２】
なお、本発明は、上述した実施形態に限定されることなく、種々の態様で実施することができる。例えば、実施形態および変形例において示した固定接点のコモン接点、非コモン接点および延出部の配置パターンは、あくまで例示であり、コモン接点の延出部が隣り合う２つの非コモン接点の間に延びるように配置される限り、任意の配置パターンを採用することが可能である。
【００５３】
また、実施形態では、鍵スイッチがハンマーで押圧されるように構成されているが、本発明は、これに限らず、鍵で押圧される鍵スイッチに適用してもよい。その他、細部の構成を、本発明の趣旨の範囲内で適宜、変更することが可能である。
【符号の説明】
【００５４】
２    鍵
２ａ  白鍵
２ｂ  黒鍵
５    ハンマー（回動体）
７    鍵スイッチ
２９    スイッチ基板（基板）
３０    スイッチ本体
ＣＭ１  第１可動接点
ＣＭ２  第２可動接点
ＣＭ３  第３可動接点
ＣＳ１  第１固定接点
ＣＳ２  第２固定接点
ＣＳ３  第３固定接点
ＣＣ１  第１コモン接点
ＣＣ２  第２コモン接点
ＣＣ３  第３コモン接点
ＣＮ１  第１非コモン接点
ＣＮ２  第２非コモン接点
ＣＮ３  第３非コモン接点
ＮＣ２  第２コモン接点の延出部
ＮＣ３  第３コモン接点の延出部
ＮＣ１２  第１および第２コモン接点の延出部
ＮＣ２３  第２および第３コモン接点の延出部
【図１】
0005791447.tif 000002
【図２】
0005791447.tif 000003
【図３】
0005791447.tif 000004
【図４】
0005791447.tif 000005
【図５】
0005791447.tif 000006
【図６】
0005791447.tif 000007
【図７】
0005791447.tif 000008
【図８】
0005791447.tif 000009
【図９】
0005791447.tif 000010
【図１０】
0005791447.tif 000011